(57)【要約】【課題】部品点数が増加するのを抑制し、かつ、省スペース化を図る。【解決手段】プリント注文受付システム１は、プリント注文受付装置１ａ及び設置台１ｂから構成されている。プリント注文受付装置１ａには、画像データファイルが記録されたメディア２を挿入するためのメディアリーダ１１と、メディアリーダ１１とは独立して移動可能なディスプレイ部２０とが設けられている。また、プリント注文受付装置１ａは、ディスプレイ部２０を、メディアリーダ１１の挿入口を露出させる位置および挿入口を覆う位置に移動させる移動機構を備えるとともに、設置台１ｂは、操作者を検知するタッチパネル２０ａを備えている。そして、プリント注文受付装置１ａは、操作者がタッチパネル２０ａを触れると、移動機構を制御することによりディスプレイ部２０を移動させて、挿入口を露出させる。【選択図】図１
2008026509.tif 000002
【特許請求の範囲】
【請求項１】
写真プリントの注文を受け付けるプリント注文受付装置であって、
画像データファイルが記録された記録媒体を挿入するための記録媒体挿入部と、
前記記録媒体に記録された画像データファイルに係る画像を表示し、かつ、前記記録媒体挿入部とは独立して移動可能な表示部と、
前記表示部および前記記録媒体挿入部の少なくともいずれか一方を、前記記録媒体挿入部を露出させる位置および前記記録媒体挿入部を覆う位置に移動させる移動機構と、
前記プリント注文受付装置を操作する操作者を検知する操作者検知手段と、
前記操作者検知手段が前記操作者を検知すると、前記移動機構を制御することにより前記表示部および前記記録媒体挿入部の少なくともいずれか一方を移動させて、前記記録媒体挿入部を露出させる制御手段とを備えることを特徴とする、プリント注文受付装置。
【請求項２】
前記操作者の適視位置を判別する判別手段をさらに備え、
前記制御手段は、前記記録媒体挿入部を露出させた後に、前記判別手段の判別結果に基づいて、前記移動機構を制御して前記表示部を前記操作者の適視位置に移動させることを特徴とする、請求項１に記載のプリント注文受付装置。
【請求項３】
前記記録媒体挿入部に前記記録媒体が挿入されたことを検知する媒体検知手段をさらに備え、
前記制御手段は、前記記録媒体挿入部を露出させた後に、前記媒体検知手段が記録媒体の前記記録媒体挿入部への挿入を検知した場合に、前記判別手段の判別結果に基づいて、前記移動機構を制御して前記表示部を前記操作者の適視位置に移動させることを特徴とする、請求項２に記載のプリント注文受付装置。
【請求項４】
前記判別手段は、センサにより操作者の身長を判別する身長判別手段を含むことを特徴とする、請求項２または３に記載のプリント注文受付装置。
【請求項５】
前記判別手段は、カメラにより操作者の顔の位置や目線の位置を判別する画像判別手段を含むことを特徴とする、請求項２または３に記載のプリント注文受付装置。
【請求項６】
前記移動機構は、前記表示部および前記記録媒体挿入部の少なくともいずれか一方を上下方向に移動させることを特徴とする、請求項１〜５のいずれか１項に記載のプリント注文受付装置。
【請求項７】
前記記録媒体挿入部に並列する位置に設けられた受付証排出部をさらに備えることを特徴とする、請求項１〜６のいずれか１項に記載のプリント注文受付装置。
【請求項８】
写真プリントの注文を受け付けるプリント注文受付システムであって、
画像データファイルが記録された記録媒体を挿入するための記録媒体挿入部、
前記記録媒体に記録された画像データファイルに係る画像を表示し、かつ、前記記録媒体挿入部とは独立して移動可能な表示部、
前記表示部および前記記録媒体挿入部の少なくともいずれか一方を、前記記録媒体挿入部を露出させる位置および前記記録媒体挿入部を覆う位置に移動させる移動機構、
前記プリント注文受付装置を操作する操作者を検知する操作者検知手段、および、
前記操作者検知手段が前記操作者を検知すると、前記移動機構を制御することにより前記表示部および前記記録媒体挿入部の少なくともいずれか一方を移動させて、前記記録媒体挿入部を露出させる制御手段を備えたプリント注文受付装置と、
前記プリント注文受付装置を載置し、前記プリント注文受付装置を上下方向に移動させる受付装置設置台とを備えることを特徴とする、プリント注文受付システム。
【請求項９】
前記操作者の適視位置を判別する判別手段をさらに備え、
前記受付装置設置台は、前記判別手段の判別結果に基づいて、前記プリント注文受付装置を上下方向に移動させることにより前記表示部を前記操作者の適視位置に移動させることを特徴とする、請求項８に記載のプリント注文受付システム。
【請求項１０】
前記受付装置設置台は、前記操作者の手動により操作されることによって、前記プリント注文受付装置を移動させることが可能であることを特徴とする、請求項９に記載のプリント注文受付システム。
【発明の詳細な説明】
【技術分野】
【０００１】
本発明は、プリント注文受付装置およびプリント注文受付システムに関し、特に、記録媒体に記録された画像データファイルを読み取り、写真プリントの注文を受け付けるプリント注文受付装置およびプリント注文受付システムに関する。
【背景技術】
【０００２】
デジタルカメラの普及に伴って、デジタルカメラで撮影した画像データファイルなどの写真プリントを受け付けるプリント注文受付装置が写真店の店頭に設置されるようになっている。プリント注文受付装置を利用する顧客は、画像データファイルが記録された記録媒体をメディアリーダに挿入することにより、記録媒体の画像データファイルを読み込ませて、当該画像データファイルに係る画像をタッチパネルが表面に貼付された表示部に表示させる。そして、顧客は、タッチパネルを利用して写真プリントの注文情報を入力することにより、プリント注文受付装置に接続される写真処理装置が写真プリントを作成する。
【０００３】
上記したプリント注文受付装置は、様々な人に利用されることから、背の高い人や背の低い人に対しても使いやすいものにする必要がある。そのため、タッチパネルが形成される表示部を触れやすくまたは見やすい位置に配置するために、表示部の高さを調節することが可能なプリント注文受付装置が種々提案されている（例えば、特許文献１参照）。
【０００４】
この特許文献１には、画像データファイルが記録された記録媒体が挿入される挿入口が設けられた本体部と、その本体部に対して上下方向に移動可能な表示部とを備えた画像プリント装置が開示されている。また、特許文献１に開示された画像プリント装置では、記録媒体が挿入される挿入口に埃が侵入したり、挿入口に対して悪戯されたりするのを防止するために、使用時のみ挿入口を開放させるカバーが設けられている。
【０００５】
【特許文献１】特開２００２−３００３３４号公報
【発明の開示】
【発明が解決しようとする課題】
【０００６】
しかしながら、上記特許文献１に開示された画像プリント装置では、表示部を移動させるための機構と、カバーを開閉させる機構とを設ける必要がある。したがって、装置に使用される部品点数が増加するとともに、両機構を設置する分だけ設置スペースが拡大するという問題点がある。
【０００７】
この発明は、上記のような課題を解決するためになされたものであり、部品点数が増加するのを抑制し、かつ、省スペース化を図ることが可能なプリント注文受付装置およびプリント注文受付システムを提供することを目的とする。
【課題を解決するための手段および発明の効果】
【０００８】
上記目的を達成するために、この発明のプリント注文受付装置は、写真プリントの注文を受け付けるプリント注文受付装置である。そして、本発明のプリント注文受付装置は、画像データファイルが記録された記録媒体を挿入するための記録媒体挿入部と、記録媒体に記録された画像データファイルに係る画像を表示し、かつ、記録媒体挿入部とは独立して移動可能な表示部と、表示部および記録媒体挿入部の少なくともいずれか一方を、記録媒体挿入部を露出させる位置および記録媒体挿入部を覆う位置に移動させる移動機構と、プリント注文受付装置を操作する操作者を検知する操作者検知手段と、操作者検知手段が操作者を検知すると、移動機構を制御することにより表示部および記録媒体挿入部の少なくともいずれか一方を移動させて、記録媒体挿入部を露出させる制御手段とを備えている。
【０００９】
この発明によるプリント注文受付装置では、上記のように、操作者を検知する操作者検知手段と、表示部および記録媒体挿入部の少なくともいずれか一方を移動させる移動機構と、移動機構を制御する制御手段とを設けることにより、操作者を検知したときに、移動機構を制御して記録媒体挿入部を露出させることができるとともに、操作者を検知しないときには、移動機構を制御して記録媒体挿入部を覆う位置に表示部を移動させることができる。これにより、操作者がプリント注文受付装置を使用しない場合に、記録媒体挿入部に埃が侵入したり、記録媒体挿入部に対して悪戯されたりするのを抑制することができる。さらに、表示部が記録媒体挿入部のカバーとして機能しているため、表示部を移動させる移動機構の他に、記録媒体挿入部のカバーを開閉させる機構を設ける必要がない。その結果、記録媒体挿入部のカバーを開閉させる機構を設ける場合に比べて、部品点数が増加するのを抑制し、かつ、省スペース化を図ることができる。
【００１０】
上記プリント注文受付装置において、好ましくは、操作者の適視位置を判別する判別手段をさらに備えている。そして、制御手段は、記録媒体挿入部を露出させた後に、判別手段の判別結果に基づいて、移動機構を制御して表示部を操作者の適視位置に移動させる。このように構成すれば、露出した記録媒体挿入部に記録媒体を挿入した後、表示部を操作者の適視位置に自動的に移動させることができる。その結果、操作者は適視位置で表示部を見ながら、操作することができる。
【００１１】
上記プリント注文受付装置において、好ましくは、記録媒体挿入部に記録媒体が挿入されたことを検知する媒体検知手段をさらに備えている。そして、制御手段は、記録媒体挿入部を露出させた後に、媒体検知手段が記録媒体の記録媒体挿入部への挿入を検知した場合に、判別手段の判別結果に基づいて、移動機構を制御して表示部を操作者の適視位置に移動させる。このように構成すれば、記録媒体挿入部に記録媒体が挿入されたのを確認した後、表示部または記録媒体挿入部を移動させることができる。これにより、操作者が記録媒体を記録媒体挿入部に挿入する作業中に表示部が移動するのを防止することができる。
【００１２】
この場合、好ましくは、判別手段は、センサにより操作者の身長を判別する身長判別手段を含む。このように構成すれば、操作者の身長に合わせた適視位置を容易に判別することができる。
【００１３】
また、好ましくは、判別手段は、カメラにより操作者の顔の位置や目線の位置を判別する画像判別手段を含む。このように構成すれば、操作者の顔の位置や目線の位置に合わせた適視位置を容易に判別することができる。
【００１４】
上記プリント注文受付装置において、好ましくは、移動機構は、表示部および記録媒体挿入部の少なくともいずれか一方を上下方向に移動させる。このように構成すれば、表示部を回転させて記録媒体挿入部を露出させる場合に比べて、プリント注文受付装置の設置スペースを小さくすることができる。
【００１５】
上記プリント注文受付装置において、好ましくは、記録媒体挿入部に並列する位置に設けられた受付証排出部をさらに備える。このように構成すれば、記録媒体挿入部のみならず、受付証排出部に埃が侵入したり、記録媒体挿入部に対して悪戯されたりするのを抑制することができる。
【００１６】
この発明のプリント注文受付システムは、写真プリントの注文を受け付けるプリント注文受付システムである。そして、本発明のプリント注文受付システムは、画像データファイルが記録された記録媒体を挿入するための記録媒体挿入部、記録媒体に記録された画像データファイルに係る画像を表示し、かつ、記録媒体挿入部とは独立して移動可能な表示部、表示部および記録媒体挿入部の少なくともいずれか一方を、記録媒体挿入部を露出させる位置および記録媒体挿入部を覆う位置に移動させる移動機構、プリント注文受付装置を操作する操作者を検知する操作者検知手段、および、操作者検知手段が操作者を検知すると、移動機構を制御することにより表示部および記録媒体挿入部の少なくともいずれか一方を移動させて、記録媒体挿入部を露出させる制御手段を備えたプリント注文受付装置と、プリント注文受付装置を載置し、プリント注文受付装置を上下方向に移動させる受付装置設置台とを備えている。
【００１７】
この発明によるプリント注文受付システムでは、上記のように、プリント注文受付装置に操作者を検知する操作者検知手段と、表示部および記録媒体挿入部の少なくともいずれか一方を移動させる移動機構と、移動機構を制御する制御手段とを設けることにより、操作者を検知したときに、移動機構を制御して記録媒体挿入部を露出させる位置に表示部を移動させることができるとともに、操作者を検知しないときには、移動機構を制御して記録媒体挿入部を覆う位置に表示部を移動させることができる。これにより、操作者がプリント注文受付装置を使用しない場合に、記録媒体挿入部に埃が侵入したり、記録媒体挿入部に対して悪戯されたりするのを抑制することができる。さらに、表示部が記録媒体挿入部のカバーとして機能しているため、表示部を移動させる移動機構の他に、記録媒体挿入部のカバーを開閉させる機構を設ける必要がない。その結果、記録媒体挿入部のカバーを開閉させる機構を設ける場合に比べて、部品点数が増加するのを抑制し、かつ、省スペース化を図ることができる。
【００１８】
上記プリント注文受付システムにおいて、好ましくは、操作者の適視位置を判別する判別手段をさらに備えている。そして、受付装置設置台は、判別手段の判別結果に基づいて、プリント注文受付装置を上下方向に移動させることにより表示部を操作者の適視位置に移動させる。このように構成すれば、表示部を操作者の適視位置に自動的に移動させることができる。その結果、操作者は適視位置で表示部を見ながら、操作することができる。
【００１９】
この場合、好ましくは、受付装置設置台は、操作者の手動により操作されることによって、プリント注文受付装置を移動させることが可能である。このように構成すれば、操作者の好みに合わせて表示部の位置を適宜調節することができる。
【発明を実施するための最良の形態】
【００２０】
以下、本発明を具体化した実施形態を図面に基づいて説明する。
【００２１】
（第１実施形態）
図１は、本発明の第１実施形態によるプリント注文受付システムの全体構成を示した斜視図であり、図２は、図１に示したプリント注文受付システムのブロック図である。図３〜図６は、図１に示したプリント注文受付システムの詳細を説明するための図である。まず、図１〜図６を参照して、プリント注文受付システム１の構成について詳細に説明する。
【００２２】
第１実施形態のプリント注文受付システム１は、図１に示すように、顧客から写真プリントの注文を受け付けるプリント注文受付装置１ａと、当該プリント注文受付装置１ａを載置する設置台１ｂとから構成されている。プリント注文受付システム１は、写真店の店頭に設置されており、有線または無線により写真プリントを作成する写真処理装置（図示せず）に接続されている。顧客が、デジタルカメラ等で撮影された画像データファイルを保存したスマートメディア（登録商標）、メモリスティック（登録商標）や、ＦＤ（フロッピーディスク）（登録商標）等の記録媒体（以降、まとめて「メディア」と称する）をプリント注文受付装置１ａにセットすると、プリント注文受付装置１ａは、セットされたメディア２から画像データファイルを読み出すとともに注文情報を受け付ける。そして、プリント注文受付装置１ａは、顧客によって入力された注文情報を写真処理装置に送信し、写真処理装置が、プリント注文受付装置１ａから受信した画像データファイルおよび注文情報に基づいて写真プリントを作成する。
【００２３】
注文情報を受け付けたプリント注文受付装置１ａにより発行される受付証３を取得した顧客は、写真店の担当者にその受付証３を提示することにより、その担当者が受付証３にプリントされた情報に基づき、完成した写真プリントを顧客に対して代金と引き換えに手渡す。
【００２４】
プリント注文受付装置１ａは、上記したメディア２に記録された情報を読み取るためのメディアリーダ１１などが設けられた本体部１０と、本体部１０に対して上下方向に移動可能なディスプレイ部２０とを備えている。
【００２５】
本体部１０には、図１および図２に示すように、メディア２に記録された画像データファイルを読み出すためのメディアリーダ１１と、受付証３を発行する受付証プリンタ１２と、ディスプレイ部２０を上下方向（Ａ方向）に移動させる移動機構１３（図３参照）と、メイン基板１４と、モータ駆動基板１５とが内蔵されている。メディアリーダ１１は、上記した各種メディア２に対応している。このメディアリーダ１１は、挿入口１１ａ（図５参照）にメディア２が確実に挿入されたことを検知して、メディア２に記録された画像データファイルを読み出す。また、本実施形態では、各メディアリーダ１１は、メディア２を挿入するための挿入口１１ａ（図５参照）がディスプレイ部２０の下辺に沿って一列に並ぶように配置されている。また、受付証プリンタ１２は、ディスプレイ部２０のタッチパネル２０ａを操作することにより入力された注文情報に係る受付証３を、発行するために設けられている。また、本実施形態では、受付証プリンタ１２は、メディアリーダ１１に並列する位置に設けられている。
【００２６】
また、移動機構１３は、図３に示すように、ディスプレイ部２０を上下方向（Ａ方向）に移動させる駆動源となるモータ１３ａと、当該モータ１３ａの駆動によって回転するギア１３ｂと、ギア１３ｂに噛み合うように配置されるギア１３ｃと、一方端がギア１３ｃの中心からずれた位置に取り付けられたアーム１３ｄとを含んでいる。また、アーム１３ｄの他方端は、ディスプレイ部２０の側面に取り付けられている。これにより、モータ１３ａが駆動することにより、ギア１３ｂに噛み合うギア１３ｃが回転するので、ギア１３ｃに取り付けられたアーム１３ｄの一方端が回転するとともにアーム１３ｄの他方端も回転して、ディスプレイ部２０を上下方向（Ａ方向）に移動させることが可能となる。また、アーム１３ｄの内部には、ディスプレイ部２０と本体部１０とを電気的に接続する配線が設けられている。この配線は、アーム１３ｄが回動した場合でも、断線しないように設けられている。
【００２７】
ディスプレイ部２０は、図１、図４および図５に示すように、プリント注文受付装置１ａの操作に関する様々な情報を表示して、顧客に告知するために設けられている。そして、ディスプレイ部２０の表面には、注文情報などを入力するためのタッチパネル２０ａが形成されている。
【００２８】
ここで、本実施形態では、ディスプレイ部２０は、移動機構１３のモータ１３ａの駆動により、メディアリーダ１１の挿入口１１ａを露出させる位置（図５参照）およびメディアリーダ１１の挿入口１１ａの覆う位置（図４参照）の間を移動するように構成されている。具体的には、顧客がタッチパネル２０ａを触れると、図５に示すように、モータ１３ａが駆動することにより、ディスプレイ部２０が上方向に移動して、メディアリーダ１１の挿入口１１ａを露出させる位置に配置される。この際、ディスプレイ部２０には、図５に示すように、顧客が持参したメディア２を挿入する箇所を案内する情報（図５の画面では、「ＦＤ」、「メモリスティック」「スマートメディア」）が表示される。これにより、顧客は、持参したメディア２をメディアリーダ１１の挿入口１１ａに挿入することが可能となる。一方、顧客がタッチパネル２０ａを触れない場合には、図４に示すように、ディスプレイ部２０は、メディアリーダ１１の挿入口１１ａを覆う位置に配置される。これにより、プリント注文受付装置１ａが利用されていない場合に、メディアリーダ１１の挿入口１１ａを覆うことができるので、挿入口１１ａに埃が入るのを抑制することが可能となる。
【００２９】
また、ディスプレイ部２０には、図１および図３に示すように、ヒンジ２１を介して、透明のパネル２２が取り付けられている。このパネル２２は、ディスプレイ部２０との間にポップ広告やデザインシートなどを挟みこむために設けられている。これにより、パネル２２とディスプレイ部２０との間にデザインシートを挟みこむことによって、プリント注文受付装置１ａの外観やデザインを容易に変更することが可能となる。また、パネル２２とディスプレイ部２０との間にポップ広告を挟みこむことによって、タッチパネル２０ａを操作する顧客の視界にポップ広告が入るので、宣伝効果を上げることができる。また、簡単な作業でポップ広告を入れ替えることが可能なので、サービスタイムなどの短時間を対象にした広告も容易に挟み込むことが可能となる。また、上記のようにパネル２２とディスプレイ部２０との間にポップ広告などを挟みこむことによって、プリント注文受付装置１ａの周辺にポップ広告などを配置する必要がないので、プリント注文受付装置１ａの周辺を有効活用することが可能となる。
【００３０】
ディスプレイ部２０とパネル２２とは、図６に示すように、貫通孔２３ａを有するネジ２３によって固定される。このネジ２３の貫通孔２３ａには、ＬＥＤ２４（発光ダイオード）が配置されており、後述する設置台１ｂのセンサ３４ａ〜３４ｃが顧客を検知すると、発光する構成となっている。これにより、プリント注文受付装置１ａを操作する顧客の注意を惹くことが可能となる。
【００３１】
また、メイン基板１４は、プリント注文受付装置１ａの各部の動作を統括するために設けられている。そして、図２に示すように、メイン基板１４にはＣＰＵ１４ａが設けられており、このＣＰＵ１４ａは、ＰＣＩバス１６を介して、後述するモータ駆動基板１５のＣＰＵ１５ａに接続されている。例えば、メイン基板１４のＣＰＵ１４ａは、後述する設置台１ｂのセンサ３４ａ〜３４ｃが操作者を検知すると、上記したディスプレイ部２０とパネル２２とを固定するネジ２３の貫通孔２３ａ内に配置されるＬＥＤ２４を発光させる。また、ＣＰＵ１４ａは、ディスプレイ部２０のタッチパネル２０ａが触れられることによって入力される信号を受信して、メディアリーダ１１や受付証プリンタ１２の動作を制御したり、ディスプレイ部２０に表示される画面（図８〜図１２参照）を切り換えたりする機能を有している。
【００３２】
モータ駆動基板１５には、タッチパネル２０ａや各種スイッチ３１〜３３（図１参照）から送信される信号を受信して、移動機構１３のモータ１３ａの駆動を制御するＣＰＵ１５ａが設けられている。
【００３３】
ここで、本実施形態では、操作者によりタッチパネル２０ａが触れられると、ＣＰＵ１５ａは、タッチパネル２０ａから送信される検知信号を受信して、モータ１３ａを駆動する。そして、モータ１３ａの駆動に伴ってギア１３ｂおよびギア１３ｃが回転して、ギア１３ｃに取り付けられたアーム１３ｄが移動する。その結果、アーム１３ｄに連動するディスプレイ部２０が上方向に移動するので、ディスプレイ部２０の背面側に配置されていたメディアリーダ１１の挿入口１１ａが露出する。
【００３４】
設置台１ｂは、図１に示すように、プリント注文受付装置１ａを載置するために設けられており、載置されたプリント注文受付装置１ａを上下方向（Ａ方向）に移動させることが可能である。この設置台１ｂには、本体部３０と、本体部３０に対して上下方向に稼動する稼動部４０とを備えている。そして、本体部３０には、手動により稼動部４０を移動させるためのＵＰ／ＤＯＷＮスイッチ３１およびフットスイッチ３２と、稼動部４０を３段階の位置に移動させるための低中高スイッチ３３と、操作者の身長を検知する３つのセンサ３４ａ〜３４ｃとが設けられている。
【００３５】
３つのセンサ３４ａ〜３４ｃは、プリント注文受付システム１の前に立つ顧客を検知するために設けられている。また、３つのセンサ３４ａ〜３４ｃは、プリント注文受付システム１の前に立つ顧客の適視位置を判別するために設けられている。具体的には、３つのセンサ３４ａ〜３４ｃがいずれも検知する場合には、顧客の身長は高いと判別することができ、上側のセンサ３４ａを除く２つのセンサ３４ｂおよび３４ｃが検知する場合には、顧客の身長は中程度だと判別することができ、下側のセンサ３４ｃのみが検知する場合には、顧客の身長は低いと判別することができる。
【００３６】
稼動部４０は、プリント注文受付装置１ａを載置しており、ディスプレイ部２０を上下方向（Ａ方向）に移動させることが可能である。
【００３７】
ここで、本実施形態では、稼動部４０は、移動機構１３によりメディアリーダ１１の挿入口１１ａが露出された後、３つのセンサ３４ａ〜３４ｃにより判別された身長に基づいて、ディスプレイ部２０を操作者の適視位置に移動させる。例えば、３つのセンサ３４ａ〜３４ｃにより操作者の身長が高いと判別された場合には、稼動部４０を高位置に移動させ、操作者の身長が中程度だと判別された場合には、稼動部４０を中位置に移動させ、操作者の身長が低いと判別された場合には、稼動部４０を低位置に移動させる。これにより、ディスプレイ部２０を操作者の適視位置に自動的に移動させることが可能となる。
【００３８】
また、本実施形態では、稼動部４０は、自動的に操作者の適視位置にディスプレイ部２０を配置するだけでなく、手動により稼動部４０を移動させることも可能である。つまり、稼動部４０は、顧客の手動により操作されるスイッチ（ＵＰ／ＤＯＷＮスイッチ３１、フットスイッチ３２および低中高スイッチ３３）から送信される検知信号に基づいて、プリント注文受付装置１ａを移動させる。具体的には、稼動部４０は、顧客の手動により操作されるＵＰ／ＤＯＷＮスイッチ３１のＵＰ部３１ａまたはフットスイッチ（ＵＰ）３２ａから送信される検知信号に基づいて、プリント注文受付装置１ａを上方向に移動させるとともに、ＵＰ／ＤＯＷＮスイッチ３１のＤＯＷＮ部３１ｂまたはフットスイッチ（ＤＯＷＮ）３２ｂから送信される検知信号に基づいて、プリント注文受付装置１ａを下方向に移動させる。また、稼動部４０は、顧客の手動により操作される低スイッチ３３ａ、中スイッチ３３ｂまたは高スイッチ３３ｃから送信される各検知信号に基づいて、プリント注文受付装置１ａをそれぞれ低位置、中位置又は高位置に移動させる。したがって、顧客は、スイッチ（ＵＰ／ＤＯＷＮスイッチ３１、フットスイッチ３２および低中高スイッチ３３）を操作することにより、ディスプレイ部２０の位置を適宜調節することができる。
【００３９】
次に、図７〜図１２を参照して、第１実施形態のプリント注文受付システム１の受付処理について説明する。図７は、プリント注文受付システムの受付処理のフローチャートである。図８〜図１２は、プリント注文受付装置のディスプレイ部に表示される各種画面である。
【００４０】
まず、ステップＳ１において、ディスプレイ部２０に初期画面（図８参照）が表示された状態から、顧客がタッチパネル２０ａに触れたか否かが判断される（ステップＳ２）。そして、顧客がタッチパネル２０ａに触れていないと判断された場合（ステップＳ２：Ｎｏ）には、タッチパネル２０ａに触れると判断されるまでステップＳ２の判断が繰り返される。これに対して、顧客がタッチパネル２０ａに触れたと判断した場合（ステップＳ２：Ｙｅｓ）には、３つのセンサ３４ａ〜３４ｃにより、操作者の身長が判別される（ステップＳ３）。そして、稼動部４０は、顧客の身長に基づいて、上下方向に移動する（ステップＳ４）。この際、メディア２を入れやすい位置にメディアリーダ１１の挿入口１１ａが配置されるように、プリント注文受付装置１ａは移動される。
【００４１】
続いて、本実施形態では、プリント注文受付装置１ａのディスプレイ部２０は、移動機構１３により上方向に移動して（ステップＳ５）、ディスプレイ部２０により覆われていたメディアリーダ１１の挿入口１１ａが露出する。この際、ディスプレイ部２０には、メディア２のセットを促す案内画面（図９参照）が表示される（ステップＳ６）。
【００４２】
そして、露出した挿入口１１ａにメディア２が挿入されたか否かがメディアリーダ１１により判断される（ステップＳ７）。挿入口１１ａにメディア２が挿入されていないと判断された場合（ステップＳ７：Ｎｏ）には、メディア２が挿入口１１ａに挿入されるまで、ステップＳ７の判断が繰り返される。これに対して、メディア２が挿入口１１ａに挿入されたと判断した場合（ステップＳ７：Ｙｅｓ）には、メディアリーダ１１によって、当該メディア２から画像データファイルが読み出される（ステップＳ８）。そして、ディスプレイ部２０は、設置台１ｂの稼動部４０により、ステップＳ３において判別された操作者の身長に基づいて、上下方向に移動される（ステップＳ９）。これにより、ディスプレイ部２０が操作者の適視位置に配置される。この際、ディスプレイ部２０には、読み出された画像データファイルに係るサムネイル画像２０ｂなどが表示された注文受付画面（図１０参照）が表示される（ステップＳ１０）。
【００４３】
そして、顧客が注文受付画面を利用して、写真の選択などを行うことによって、注文情報が入力されて（ステップＳ１１）、ＯＫボタン２０ｃが触れられると、ディスプレイ部２０に注文内容確認画面（図１１参照）が表示される（ステップＳ１２）。そして、注文内容確認画面のＯＫボタン２０ｃが触れられたか否かが判断される（ステップＳ１３）。ＯＫボタン２０ｃが触れられていないと判断した場合には、ステップＳ１３の判断が繰り返される。これに対して、ＯＫボタン２０ｃが触れられたと判断した場合には、受付終了画面（図１２参照）が表示されて（ステップＳ１４）、受付証プリンタ１２によって受付証３が発行される（ステップＳ１５）。この後、受付証３を取得した顧客が、写真店の担当者にその受付証３を提示することにより、その担当者が受付証３にプリントされた情報に基づき、完成した写真プリントを顧客に対して代金と引き換えに手渡す。
【００４４】
第１実施形態では、上記のように、顧客を検知するタッチパネル２０ａと、ディスプレイ部２０を移動させる移動機構１３と、移動機構１３のモータ１３ａを制御するモータ駆動基板１５のＣＰＵ１５ａとを設けることにより、顧客がタッチパネル２０ａを触れたときに、移動機構１３のモータ１３ａの駆動を制御してメディアリーダ１１の挿入口１１ａを露出させる位置にディスプレイ部２０を移動させることができるとともに、顧客を検知しないときには、モータ１３ａの駆動を制御して挿入口１１ａを覆う位置にディスプレイ部２０を移動させることができる。これにより、顧客がプリント注文受付装置１ａを使用しない場合に、挿入口１１ａに埃が侵入したり、挿入口１１ａに対して悪戯されたりするのを抑制することができる。さらに、ディスプレイ部２０が挿入口１１ａのカバーとして機能しているため、ディスプレイ部２０を移動させる移動機構１３の他に、挿入口１１ａのカバーを開閉させる機構を設ける必要がない。その結果、挿入口１１ａのカバーを開閉させる機構を設ける場合に比べて、部品点数が増加するのを抑制し、かつ、省スペース化を図ることができる。
【００４５】
また、第１実施形態では、顧客の身長を判別する３つのセンサ３４ａ〜３４ｃが設けられた設置台１ｂを設けることによって、３つのセンサ３４ａ〜３４ｃの判別結果に基づいて、プリント注文受付装置１ａを稼動部４０により上下方向（Ａ方向）に移動させることができるので、ディスプレイ部２０を操作者の適視位置に移動させることができる。これにより、顧客は適視位置でディスプレイ部２０を見ながら、操作することができる。
【００４６】
また、第１実施形態では、メディア２が確実に挿入されたのを検知するメディアリーダ１１を設けることによって、露出した挿入口１１ａにメディア２が挿入されたのをメディアリーダ１１が検知して確認した後、ディスプレイ部２０を稼動部４０により顧客の適視位置に自動的に移動させることができる。その結果、作業者がメディア２を挿入口１１ａに挿入する作業中にディスプレイ部２０が移動するのを防止することができる。
【００４７】
（第２実施形態）
この第２実施形態では、第１実施形態と異なり、プリント注文受付装置を上下方向に移動させる設置台を用いない例について説明する。なお、第２実施形態では、顧客の身長を判別するセンサがプリント注文受付装置に設けられていること以外は、上記した第１実施形態と同様のプリント注文受付装置を用いている。このため、第２実施形態では、センサに関連する部分以外の説明を省略する。図１３は、本発明の第２実施形態によるプリント注文受付装置の全体構成を示した斜視図であり、図１４は、プリント注文受付装置１００ａの受付処理のフローチャートである。
【００４８】
第２実施形態では、プリント注文受付装置１００ａには、図１３に示すように、プリント注文受付装置１００ａの前に立つ顧客を検知する３つのセンサ１１０ａ〜１１０ｃが設けられている。また、３つのセンサ１１０ａ〜１１０ｃは、操作者の身長を判別する機能も有している。そして、モータ駆動基板１５のＣＰＵ１５ａは、メディアリーダ１１の挿入口１１ａを露出させた後、３つのセンサ１１０ａ〜１１０ｃにより判別された操作者の身長に基づいて、モータ１３ａを駆動して、ディスプレイ部２０を操作者の適視位置に移動させる。
【００４９】
次に、図１４を参照して、第２実施形態のプリント注文受付装置１００ａの受付処理について説明する。
【００５０】
まず、ステップＳ１０１において、ディスプレイ部２０に初期画面（図８参照）が表示された状態から、顧客がタッチパネル２０ａに触れたか否かが判断される（ステップＳ１０２）。そして、顧客がタッチパネル２０ａに触れていないと判断された場合（ステップＳ１０２：Ｎｏ）には、タッチパネル２０ａに触れると判断されるまでステップＳ１０２の判断が繰り返される。
【００５１】
これに対して、第２実施形態では、顧客がタッチパネル２０ａに触れたと判断した場合（ステップＳ１０２：Ｙｅｓ）には、プリント注文受付装置１００ａのディスプレイ部２０は、移動機構１３により上方向に移動して、ディスプレイ部２０により覆われていたメディアリーダ１１の挿入口１１ａが露出する（ステップＳ１０３）。この際、ディスプレイ部２０には、メディア２のセットを促す案内画面（図９参照）が表示される（ステップＳ１０４）。
【００５２】
そして、露出した挿入口１１ａにメディア２が挿入されたか否かがメディアリーダ１１により判断される（ステップＳ１０５）。挿入口１１ａにメディア２が挿入されていないと判断された場合（ステップＳ１０５：Ｎｏ）には、メディア２が挿入口１１ａに挿入されるまで、ステップＳ１０５の判断が繰り返される。これに対して、メディア２が挿入口１１ａに挿入されたと判断した場合（ステップＳ１０５：Ｙｅｓ）には、メディアリーダ１１によって、当該メディア２から画像データファイルが読み出される（ステップＳ１０６）。
【００５３】
この際、３つのセンサ１１０ａ〜１１０ｃにより、操作者の身長が判別されて（ステップＳ１０７）、ディスプレイ部２０は、操作者の身長に基づいて、上下方向に移動される（ステップＳ１０８）。これにより、ディスプレイ部２０が操作者の適視位置に配置される。そして、ディスプレイ部２０には、読み出された画像データファイルに係るサムネイル画像２０ｂなどが表示された注文受付画面（図１０参照）が表示される（ステップＳ１０９）。
【００５４】
そして、顧客が注文受付画面を利用して、写真の選択などを行うことによって、注文情報が入力されると（ステップＳ１１０）、ディスプレイ部２０に注文内容確認画面（図１１参照）が表示される（ステップＳ１１１）。そして、注文内容確認画面のＯＫボタン２０ｃが触れられたか否かが判断される（ステップＳ１１２）。ＯＫボタン２０ｃが触れられていないと判断した場合には、ステップＳ１１２の判断が繰り返される。これに対して、ＯＫボタン２０ｃが触れられたと判断した場合には、受付終了画面（図１２参照）が表示されて（ステップＳ１１３）、受付証プリンタ１２によって受付証３が発行される（ステップＳ１１４）。この後、受付証３を取得した顧客が、写真店の担当者にその受付証３を提示することにより、その担当者が受付証３にプリントされた情報に基づき、完成した写真プリントを顧客に対して代金と引き換えに手渡す。
【００５５】
第２実施形態では、上記のように、顧客を検知するタッチパネル２０ａと、ディスプレイ部２０を移動させる移動機構１３と、移動機構１３のモータ１３ａを制御するモータ駆動基板１５のＣＰＵ１５ａとを設けることにより、顧客を検知したときに、移動機構１３のモータ１３ａの駆動を制御してメディアリーダ１１の挿入口１１ａを露出させる位置にディスプレイ部２０を移動させることができるとともに、顧客を検知しないときには、モータ１３ａの駆動を制御して挿入口１１ａを覆う位置にディスプレイ部２０を移動させることができる。これにより、顧客がプリント注文受付装置１００ａを使用しない場合に、挿入口１１ａに埃が侵入したり、挿入口１１ａに対して悪戯されたりするのを抑制することができる。つまり、ディスプレイ部２０が挿入口１１ａのカバーとして機能しているため、ディスプレイ部２０を移動させる移動機構１３の他に、挿入口１１ａのカバーを開閉させる機構を設ける必要がない。その結果、挿入口１１ａのカバーを開閉させる機構を設ける場合に比べて、部品点数が増加するのを抑制し、かつ、省スペース化を図ることができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
例えば、第１実施形態では、設置台にセンサを設ける例を示したが、本発明はこれに限らず、プリント注文受付装置にセンサを設けてもよい。また、第１および第２実施形態において、操作者の適視位置を検知することができれば、４つ以上のセンサを設けてもよいし、２つ以下でもよい。
【００５８】
また、第１および第２実施形態では、３つのセンサにより操作者の身長を判別する例について説明したが、本発明はこれに限らず、図１５に示した第１変形例によるプリント注文受付システム２００のように、カメラ１ｃにより撮影された画像を解析して、操作者の顔の位置や目線の位置を判別してもよい。
【００５９】
また、第１および第２実施形態では、ディスプレイ部を上下方向（Ａ方向）に移動させることにより、ディスプレイ部に覆われているメディアリーダの挿入口を露出される例について説明したが、本発明はこれに限らず、図１６および図１７に示した第２変形例のように、ディスプレイ部２２０を水平方向（矢印Ｂ方向）に回転させることにより、メディアリーダ１１の挿入口１１ａを露出させる構成としてもよい。
【００６０】
また、第１実施形態では、移動機構をモータ、ギアおよびアームにより構成して、アームをディスプレイ部の側面に取り付ける例を示したが、本発明はこれに限らず、図１８および図１９に示した第３変形例のように、ディスプレイ部３２０の背面部３２０ａの中心近傍の位置に移動機構３１３を設けてもよい。また、図２０および図２１に示した第４変形例のように、ディスプレイ部４２０の背面部４２０ａの両端部に対応する位置に移動機構４１３を設けてもよい。そして、この第３変形例および第４変形例の移動機構３１３および４１３は、レール形式、ギアおよびスプロケット形式、または、ワイヤー形式のいずれであってもよい。
【００６１】
また、第１および第２実施形態では、ディスプレイ部を移動させてメディアリーダの挿入口を露出させる例について説明したが、本発明はこれに限らず、メディアリーダを移動させることにより、その挿入口をディスプレイ部に覆われない露出した位置に移動させてもよい。
【００６２】
また、第１および第２実施形態では、タッチパネルが触れられたか否かにより操作者を検知する例について説明したが、本発明はこれに限らず、センサにより操作者を検知してもよい。
【図面の簡単な説明】
【００６３】
【図１】本発明の第１実施形態によるプリント注文受付システムの全体構成を示した斜視図である。
【図２】図１に示したプリント注文受付システムのブロック図である。
【図３】図１に示したプリント注文受付装置の移動機構を示した側面図である。
【図４】図１に示したプリント注文受付装置の正面図である。
【図５】図１に示したプリント注文受付装置の正面図である。
【図６】図１に示したプリント注文受付装置のディスプレイ部の断面図である。
【図７】図１に示したプリント注文受付システムの受付処理のフローチャートである。
【図８】図１に示したプリント注文受付装置のディスプレイ部に表示される初期画面である。
【図９】図１に示したプリント注文受付装置のディスプレイ部に表示されるメディアセットの案内画面である。
【図１０】図１に示したプリント注文受付装置のディスプレイ部に表示される注文受付画面である。
【図１１】図１に示したプリント注文受付装置のディスプレイ部に表示される注文内容確認画面である。
【図１２】図１に示したプリント注文受付装置のディスプレイ部に表示される受付終了画面である。
【図１３】本発明の第２実施形態によるプリント注文受付装置の全体構成を示した斜視図である。
【図１４】図１３に示したプリント注文受付装置の受付処理のフローチャートである。
【図１５】第１変形例によるプリント注文受付システムの全体構成を示した斜視図である。
【図１６】第２変形例によるプリント注文受付装置の全体構成を示した斜視図である。
【図１７】第２変形例によるプリント注文受付装置の全体構成を示した斜視図である。
【図１８】第３変形例によるプリント注文受付システムの側面図である。
【図１９】第３変形例によるプリント注文受付システムの後斜視図である。
【図２０】第４変形例によるプリント注文受付システムの側面図である。
【図２１】第４変形例によるプリント注文受付システムの後斜視図である。
【符号の説明】
【００６４】
１、２００  プリント注文受付システム
１ａ、１００ａ  プリント注文受付装置
１ｂ  設置台（受付装置設置台）
１ｃ  カメラ（画像判別手段）
３  メディア（記録媒体）
１１  メディアリーダ（媒体検知手段）
１１ａ  挿入口（記録媒体挿入部）
１２  受付証排出部（受付証プリンタ）
１３、３１３、４１３  移動機構
１５ａ  ＣＰＵ（制御手段）
２０、２２０、３２０、４２０  ディスプレイ部（表示部）
２０ａ  タッチパネル（操作者検知手段）
３４ａ〜３４ｃ、１１０ａ〜１１０ｃ  センサ（操作者検知手段、判別手段、身長判別手段）
【図１】
2008026509.tif 000003
【図２】
2008026509.tif 000004
【図３】
2008026509.tif 000005
【図４】
2008026509.tif 000006
【図５】
2008026509.tif 000007
【図６】
2008026509.tif 000008
【図７】
2008026509.tif 000009
【図８】
2008026509.tif 000010
【図９】
2008026509.tif 000011
【図１０】
2008026509.tif 000012
【図１１】
2008026509.tif 000013
【図１２】
2008026509.tif 000014
【図１３】
2008026509.tif 000015
【図１４】
2008026509.tif 000016
【図１５】
2008026509.tif 000017
【図１６】
2008026509.tif 000018
【図１７】
2008026509.tif 000019
【図１８】
2008026509.tif 000020
【図１９】
2008026509.tif 000021
【図２０】
2008026509.tif 000022
【図２１】
2008026509.tif 000023